(57)【要約】【課題】  光源との角度に応じて観察される画像が変化する、真偽判別性に優れ、色彩表現に優れた真偽判別可能な情報担持体に関する。【解決手段】  干渉色の異なる２つのインキを用い、盛り上がりを有する画線を複数配列することで構成した複数の画線群の中に、画線角度の差異で形成した第１の画像を備え、かつ、インキの干渉色の違いで形成した第２の画像を備えることで、拡散反射光と正反射光が混在する角度領域の観察では、第１の画像が視認され、正反射光が支配的な角度領域の観察では、第２の画像が視認される真偽判別可能な情報担持体を提供する。【選択図】  図１
2011020283.tif 000002
【特許請求の範囲】
【請求項１】
基材上の少なくとも一部に印刷領域を備え、前記印刷領域中に、第１の画像及び第２の画像の、少なくとも二つの画像を備えて成る真偽判別可能な情報担持体において、
前記第１の画像と前記第２の画像は、複数の画線群から構成され、
前記複数の画線群は、カラーフリップフロップ性を有し、正反射時に第１の干渉色を発する第１のインキで形成された画線群と、前記カラーフリップフロップ性を有し、正反射時に前記第１の干渉色とは異なる第２の干渉色を発する前記第１のインキとは異なる第２のインキで形成された画線群から成り、
前記第１のインキで形成された画線群は、盛り上がりのある画線を第１の方向に複数配置されて成る第１の画線群と、前記盛り上がりのある画線を前記第１の方向とは異なる第２の方向に複数配置されて成る第２の画線群を備え、
前記第２のインキで形成された画線群は、盛り上がりのある画線を前記第１の方向に複数配置されて成る第３の画線群と、前記盛り上がりのある画線を前記第２の方向に複数配置されて成る第４の画線群を備え、
前記第１の画像は、前記画線を複数配置する方向の違いによって形成されて成る情報部と背景部とに区分けされ、前記第２の画像は、前記インキの違いによって形成されて成る情報部と背景部に区分けされ、
前記第１の画像の情報部は、前記第２の画線群と前記第４の画線群から成り、前記第１の画像の背景部は、前記第１の画線群と前記第３の画線群から成り、前記第２の画像の情報部は、前記第３の画線群と前記第４の画線群から成り、前記第２の画像の背景部は、前記第１の画線群と前記第２の画線群から成り、
前記第４の画線群は、前記第１の画像と前記第２の画像の共通の情報部と成り、前記第１の画線群は、前記第１の画像と前記第２の画像の共通の背景部と成ることを特徴とする真偽判別可能な情報担持体。
【請求項２】
前記基材上の少なくとも一部に備えている前記印刷領域中において、前記基材と、前記第１の画像及び前記第２の画像の間に、基材と異なる色を有した第３の画像を備えて成ることを特徴とする請求項１に記載の真偽判別可能な情報担持体。
【請求項３】
前記第３の画像は、面積率の違いによって形成されて成る情報部と背景部に区分けされ、前記第３の画像における情報部の面積率と背景部の面積率の差異は、１５％以上５０％以下で形成されることを特徴とする請求項２記載の真偽判別可能な情報担持体。
【請求項４】
前記第１の画線群と前記第２の画線群の画線の幅が等しく、かつ、前記第３の画線群と前記第４の画線群の画線の幅が等しいことを特徴とする請求項１乃至３のいずれか一項に記載の真偽判別可能な情報担持体。
【請求項５】
基材上の少なくとも一部に印刷領域を備え、前記印刷領域中に、第１の画像、第２の画像及び第３の画像の、三つの画像を備えて成る真偽判別可能な情報担持体において、
前記第１の画像、前記第２の画像及び前記第３の画像は、基材と異なる色を有する複数の画線群から構成され、
前記複数の画線群は、カラーフリップフロップ性を有し、正反射時に第１の干渉色を発する第１のインキで形成された画線群と、前記カラーフリップフロップ性を有し、正反射時に前記第１の干渉色とは異なる第２の干渉色を発する前記第１のインキとは異なる第２のインキで形成された画線群から成り、
前記第１のインキで形成された画線群は、盛り上がりのある画線を第１の方向に複数配置されて成る第１の面積率を有する第１の画線群と、盛り上がりのある画線を前記第１の方向とは異なる第２の方向に複数配置されて成る前記第１の面積率を有する第２の画線群と、盛り上がりのある画線を前記第１の方向に複数配置されて成る前記第１の面積率とは異なる第２の面積率を有する第３の画線群と、盛り上がりのある画線を前記第２の方向に複数配置されて成る前記第２の面積率を有する第４の画線群を備え、
前記第２のインキで形成された画線群は、盛り上がりのある画線を前記第１の方向に複数配置されて成る前記第１の面積率を有する第５の画線群と、盛り上がりのある画線を前記第２の方向に複数配置されて成る前記第１の面積率を有する第６の画線群と、盛り上がりのある画線を前記第１の方向に複数配置されて成る前記第２の面積率を有する第７の画線群と、盛り上がりのある画線を前記第２の方向に複数配置されて成る前記第２の面積率を有する第８の画線群を備え、
前記第１の画像は、前記画線を複数配置する方向の違いによって形成されて成る情報部と背景部とに区分けされ、前記第２の画像は、前記インキの違いによって形成されて成る情報部と背景部に区分けされ、前記第３の画像は、前記面積率の違いによって形成されて成る情報部と背景部とに区分けされ、
前記第１の画像の情報部は、前記第２の画線群、前記第４の画線群、前記第６の画線群及び前記第８の画線群から成り、前記第１の画像の背景部は、前記第１の画線群、前記第３の画線群、前記第５の画線群及び前記第７の画線群から成り、前記第２の画像の情報部は、前記第５の画線群、前記第６の画線群、前記第７の画線群及び前記第８の画線群から成り、前記第２の画像の背景部は、前記第１の画線群、前記第２の画線群、前記第３の画線群及び前記第４の画線群から成り、前記第３の画像の情報部は、前記第３の画線群、前記第４の画線群、前記第７の画線群及び前記第８の画線群から成り、前記第３の画像の背景部は、前記第１の画線群、前記第２の画線群、前記第５の画線群及び前記第６の画線群から成り、
前記第８の画線群は、前記第１の画像、前記第２の画像及び前記第３の画像の共通の情報部と成り、前記第１の画線群は、前記第１の画像、前記第２の画像及び前記第３の画像の共通の背景部と成ることを特徴とする真偽判別可能な情報担持体。
【請求項６】
前記第３の画像における情報部の面積率と背景部の面積率の差異は、５％以上２５％以下で形成されることを特徴とする請求項５に記載の真偽判別可能な情報担持体。
【請求項７】
前記第１のインキと前記第２のインキは、拡散反射光が支配的な観察角度では等色に観察されることを特徴とする請求項１乃至６のいずれか一項に記載の真偽判別可能な情報担持体。
【請求項８】
前記第１のインキ及び前記第２のインキが、鱗片状マイカ顔料、鱗片状シリカ顔料、鱗片状金属顔料、ガラスフレーク顔料、コレステリック液晶顔料の少なくとも一つを含むことを特徴とする請求項１乃至７のいずれか一項に記載の真偽判別可能な情報担持体。
【請求項９】
前記鱗片状マイカ顔料、前記鱗片状シリカ顔料、前記鱗片状金属顔料、前記ガラスフレーク顔料、前記コレステリック液晶顔料の配向性を向上させるために、顔料表面に撥水性及び／または撥油性を持たせる表面処理が施されていることを特徴とする請求項１乃至８のいずれか一項に記載の真偽判別可能な情報担持体。
【請求項１０】
前記第１の方向に複数配置される前記画線の角度と、前記第２の方向に複数配置される前記画線の角度の角度差が、１５°以上９０°以下であることを特徴とする請求項１乃至９のいずれか一項に記載の真偽判別可能な情報担持体。
【請求項１１】
前記盛り上がりを有する画線の画線幅が、１０μｍ以上２０００μｍ以下であることを特徴とする請求項１乃至１０のいずれか一項に記載の真偽判別可能な情報担持体。
【請求項１２】
前記盛り上がりを有する画線の盛り上がりの高さが、３μｍ以上５０μｍ以下であることを特徴とする請求項１乃至１１のいずれか一項に記載の真偽判別可能な情報担持体。
【請求項１３】
前記第１の干渉色と前記第２の干渉色は、色相が異なっていることを特徴とする請求項１乃至１２のいずれか一項に記載の真偽判別可能な情報担持体。
【発明の詳細な説明】
【技術分野】
【０００１】
本発明は、偽造防止効果を必要とするセキュリティ印刷物である銀行券、パスポート、有価証券、身分証明書、カード及び通行券等の貴重印刷物の分野において、特に、観察角度によって出現する画像が変化する効果を付与した偽造防止用又は真偽判別用の情報担持体に関わるものである。
【背景技術】
【０００２】
近年、セキュリティを要する貴重印刷物等には、新しい意匠性を持ち、偽造防止効果の高い偽造防止要素及び印刷技術が望まれている。このため、観察角度によって画像が変化するホログラム等の光学的なセキュリティ要素を貼付したものが多く存在するようになった。
【０００３】
前述のような光学的な変化を示す偽造防止印刷物は、一般的に高価で特殊な装置及び材料を必要とするため、付加的な製造工程が必要になり、コスト的にも負荷が高くなるといった問題があった。
【０００４】
本出願人は、表面配向性パール顔料を用いた盛り上がりのある画線を形成し、背景画像部とメッセージ画像部で画線角度を異なる構成とすることで、斜めから観察した場合にのみ、メッセージ画像部がネガポジ反転して出現する効果を有する真偽判別可能な印刷物に関わる発明を出願している（例えば、特許文献１参照）。
【０００５】
また、本出願人は、鏡面光沢を有し、盛り上がりを有する画線によって、画線面積率の差異で形成した第１の画像を備え、かつ、画線角度の異なりで形成した第２の画像を備えることで、拡散反射が支配的な観察角度領域の観察では第１の画像のみが視認され、拡散反射光と正反射光が混在する角度領域の観察では、第２の画像のみが視認される偽造防止用情報担持体に関わる発明を出願している（例えば、特許文献２参照）。
【０００６】
さらに、本出願人は、基材と異なる色を有する金属光沢インキによって第１の印刷画像を形成し、第１の印刷画像の全面を覆う形で虹彩色パール顔料を含む透明インキによって第２の画像を形成することで、拡散反射が支配的な観察角度領域では第１の画像のみが視認され、正反射光が支配的な観察角度領域では第２の画像のみが視認される偽造防止用情報担持体に関わる発明を出願している（例えば、特許文献３参照）。
【０００７】
【特許文献１】特許第３３９８７５８号公報
【特許文献２】特願２００７−３３１２６９号公報
【特許文献３】特願２００８−１７９８９３号公報
【発明の開示】
【発明が解決しようとする課題】
【０００８】
しかしながら、特許文献１記載の真偽判別可能な印刷物は、拡散反射光と正反射光が混在する角度領域の観察では、背景画像部とメッセージ部が光の入射角度に応じてネガ画像からポジ画像又はポジ画像からネガ画像に変化して出現するものの、それ以外の観察角度で観察した場合には、メッセージ画像以外の有意画像を認識させることができない。すなわち、観察角度を変えることで、二つの異なる画像をチェンジさせることは不可能であった。
【０００９】
また、特許文献２記載の偽造防止用情報担持体は、拡散反射が支配的な観察角度領域の観察では第１の画像のみが視認され、拡散反射光と正反射光が混在する角度領域の観察では第２の画像のみが視認される。すなわち、特許文献１に記載の技術に画像のチェンジ効果を加えた技術であるが、一種類のインキで形成されるために、第１の画像及び第２の画像は、主として単色の濃淡のみでしか表現できないことから色彩変化に乏しいという問題があった。また、正反射光が支配的な角度領域の観察では、第１の画像と第２の画像が混ざり合って出現してしまう場合があるという問題があった。
【００１０】
また、特許文献３記載の偽造防止用情報担持体は、拡散反射が支配的な観察角度領域の観察では、第１の画像のみが視認され、正反射光が支配的な角度領域の観察では、第２の画像のみが視認される。すなわち、特許文献２に記載の技術同様に特許文献１に記載の技術に画像のチェンジ効果を加えた技術であるが、拡散反射光と正反射光が混在する角度領域の観察では、第１の画像と第２の画像が混ざり合って出現してしまう場合があるという問題があった。
【００１１】
本発明は、人の目に認識される情報が、拡散反射光と正反射光が混在する角度領域の観察と、正反射光が支配的な角度領域の観察で、異なる画像に変化するチェンジ効果を備えるとともに、正反射光が支配的な角度領域の観察で出現する画像は、二色以上の色の異なる干渉色で表現されるため、色彩豊かな表現が可能であり、カラー複写機では再現不可能な情報担持体を提供するものである。
【課題を解決するための手段】
【００１２】
本発明の真偽判別可能な印刷物は、基材上の少なくとも一部に印刷領域を備え、印刷領域中に、第１の画像及び第２の画像の、少なくとも二つの画像を備えて成る真偽判別可能な情報担持体において、第１の画像と第２の画像は、複数の画線群から構成され、複数の画線群は、カラーフリップフロップ性を有し、正反射時に第１の干渉色を発する第１のインキで形成された画線群と、カラーフリップフロップ性を有し、正反射時に第１の干渉色とは異なる第２の干渉色を発する第１のインキとは異なる第２のインキで形成された画線群から成り、第１のインキで形成された画線群は、盛り上がりのある画線を第１の方向に複数配置されて成る第１の画線群と、盛り上がりのある画線を第１の方向とは異なる第２の方向に複数配置されて成る第２の画線群を備え、第２のインキで形成された画線群は、盛り上がりのある画線を第１の方向に複数配置されて成る第３の画線群と、盛り上がりのある画線を第２の方向に複数配置されて成る第４の画線群を備え、第１の画像は、画線を複数配置する方向の違いによって形成されて成る情報部と背景部とに区分けされ、第２の画像は、インキの違いによって形成されて成る情報部と背景部に区分けされ、第１の画像の情報部は、第２の画線群と第４の画線群から成り、第１の画像の背景部は、第１の画線群と第３の画線群から成り、第２の画像の情報部は、第３の画線群と第４の画線群から成り、第２の画像の背景部は、第１の画線群と第２の画線群から成り、第４の画線群は、第１の画像と第２の画像の共通の情報部となり、第１の画線群は、第１の画像と第２の画像の共通の背景部となり、観察者の視点を正反射光と拡散反射光が同じ程度の割合で混在している観察角度領域において観察した場合、第１の画像の情報部と背景部がネガポジ反転した画像で視認され、観察者の視点を正反射光が支配的な観察角度領域において観察した場合、第２の画像の背景部が第１の干渉色で視認され、第２の画像の情報部が第２の干渉色で視認されることを特徴とする。
【００１３】
本発明の真偽判別可能な印刷物は、基材上の少なくとも一部に備えている印刷領域中において、基材と、第１の画像及び第２の画像の間に、基材と異なる色を有した第３の画像を備えて成り、観察者の視点を拡散反射光が支配的な観察角度領域において観察した場合、第３の画像が視認され、観察者の視点を正反射光と拡散反射光が同じ程度の割合で混在している観察角度領域において観察した場合、第１の画像の情報部と背景部がネガポジ反転した画像で視認され、観察者の視点を正反射光が支配的な観察角度領域において観察した場合、第２の画像の背景部が第１の干渉色で視認され、第２の画像の情報部が第２の干渉色で視認されることを特徴とする。
【００１４】
本発明の真偽判別可能な印刷物の第３の画像は、面積率の違いによって形成されて成る情報部と背景部に区分けされ、第３の画像における情報部の面積率と背景部の面積率の差異は、１５％以上５０％以下で形成されることを特徴とする。
【００１５】
本発明の真偽判別可能な印刷物は、第１の画線群と第２の画線群の画線の幅が等しく、かつ、第３の画線群と第４の画線群の画線の幅が等しいことを特徴とする。
【００１６】
本発明の真偽判別可能な印刷物は、基材上の少なくとも一部に印刷領域を備え、印刷領域中に、第１の画像、第２の画像及び第３の画像の、三つの画像を備えて成る真偽判別可能な情報担持体において、第１の画像、第２の画像及び第３の画像は、基材と異なる色を有する複数の画線群から構成され、複数の画線群は、カラーフリップフロップ性を有し、正反射時に第１の干渉色を発する第１のインキで形成された画線群と、カラーフリップフロップ性を有し、正反射時に第１の干渉色とは異なる第２の干渉色を発する第１のインキとは異なる第２のインキで形成された画線群から成り、第１のインキで形成された画線群は、盛り上がりのある画線を第１の方向に複数配置されて成る第１の面積率を有する第１の画線群と、盛り上がりのある画線を第１の方向とは異なる第２の方向に複数配置されて成る第１の面積率を有する第２の画線群と、盛り上がりのある画線を第１の方向に複数配置されて成る第１の面積率とは異なる第２の面積率を有する第３の画線群と、盛り上がりのある画線を第２の方向に複数配置されて成る第２の面積率を有する第４の画線群を備え、第２のインキで形成された画線群は、盛り上がりのある画線を第１の方向に複数配置されて成る第１の面積率を有する第５の画線群と、盛り上がりのある画線を第２の方向に複数配置されて成る第１の面積率を有する第６の画線群と、盛り上がりのある画線を第１の方向に複数配置されて成る第２の面積率を有する第７の画線群と、盛り上がりのある画線を第２の方向に複数配置されて成る第２の面積率を有する第８の画線群を備え、第１の画像は、画線を複数配置する方向の違いによって形成されて成る情報部と背景部とに区分けされ、第２の画像は、インキの違いによって形成されて成る情報部と背景部に区分けされ、第３の画像は、面積率の違いによって形成されて成る情報部と背景部とに区分けされ、第１の画像の情報部は、第２の画線群、第４の画線群、第６の画線群及び第８の画線群から成り、第１の画像の背景部は、第１の画線群、第３の画線群、第５の画線群及び第７の画線群から成り、第２の画像の情報部は、第５の画線群、第６の画線群、第７の画線群及び第８の画線群から成り、第２の画像の背景部は、第１の画線群、第２の画線群、第３の画線群及び第４の画線群から成り、第３の画像の情報部は、第３の画線群、第４の画線群、第７の画線群及び第８の画線群から成り、第３の画像の背景部は、第１の画線群、第２の画線群、第５の画線群及び第６の画線群から成り、第８の画線群は、第１の画像、第２の画像及び第３の画像の共通の情報部となり、第１の画線群は、第１の画像、第２の画像及び第３の画像の共通の背景部となり、観察者の視点を拡散反射光が支配的な観察角度領域において観察した場合、第３の画像が視認され、観察者の視点を正反射光と拡散反射光が同じ程度の割合で混在している観察角度領域において観察した場合、第１の画像の情報部と背景部がネガポジ反転した画像で視認され、観察者の視点を正反射光が支配的な観察角度領域において観察した場合、第２の画像の背景部が第１の干渉色で視認され、第２の画像の情報部が第２のインキの干渉色で視認されることを特徴とする。
【００１７】
本発明の真偽判別可能な印刷物は、第３の画像における情報部の面積率と背景部の面積率の差異は、５％以上２５％以下で形成されることを特徴とする。
【００１８】
本発明の真偽判別可能な印刷物は、第１のインキと第２のインキは、拡散反射光が支配的な観察角度では等色に観察されることを特徴とする。
【００１９】
本発明の真偽判別可能な印刷物は、第１のインキ及び第２のインキが、鱗片状マイカ顔料、鱗片状シリカ顔料、鱗片状金属顔料、ガラスフレーク顔料、コレステリック液晶顔料の少なくとも一つを含むことを特徴とする。
【００２０】
本発明の真偽判別可能な印刷物は、鱗片状マイカ顔料、鱗片状シリカ顔料、鱗片状金属顔料、ガラスフレーク顔料、コレステリック液晶顔料の配向性を向上させるために、顔料表面に撥水性及び／または撥油性を持たせる表面処理が施されていることを特徴とする。
【００２１】
本発明の真偽判別可能な印刷物は、第１の方向に複数配置される画線の角度と、第２の方向に複数配置される画線の角度の角度差が、１５°以上９０°以下であることを特徴とする。
【００２２】
本発明の真偽判別可能な印刷物は、盛り上がりを有する画線の画線幅が、１０μｍ以上２０００μｍ以下であることを特徴とする。
【００２３】
本発明の真偽判別可能な印刷物は、盛り上がりを有する画線の盛り上がりの高さが、３μｍ以上５０μｍ以下であることを特徴とする。
【００２４】
本発明の真偽判別可能な印刷物は、第１の干渉色と第２の干渉色は、色相が異なっていることを特徴とする。
【発明の効果】
【００２５】
本発明の真偽判別可能な印刷物は、拡散反射光と正反射光が混在する角度領域の観察では、第１の画像が観察され、正反射光が支配的な角度領域の観察では、第２の画像が観察される。すなわち正反射光が存在する二つの観察角度領域では、第１の画像と第２の画像が鮮明にチェンジする効果を有する。
【００２６】
本発明は、正反射光が支配的な角度領域で観察される第２の画像は、二つの異なる干渉色で彩られるために、色彩に富んだ鮮やかな表現が可能である。
【００２７】
本発明は、拡散反射光が支配的な観察角度で観察される第３の画像を形成した場合には、光の入射角度に応じて三つの画像がチェンジする効果を有する。
【図面の簡単な説明】
【００２８】
【図１】本発明の実施の形態における情報担持体を示す。
【図２】本発明の実施の形態における第１の画像を示す。
【図３】本発明の実施の形態における第２の画像を示す。
【図４】本発明の実施の形態における第１のインキで形成された画線群を示す。
【図５】本発明の実施の形態における第２のインキで形成された画線群を示す。
【図６】本発明の四つの画線群が構成する図柄を示す。
【図７】本発明の情報担持体と光源と観察者の視点との位置関係による三つの観察領域を示す。
【図８】（ａ）は、本発明の実施の形態において画線が第１の方向（Ｘ）に平行に配置されて形成された二つの画線群を対象に、観察角度に応じて変化する色彩を機械的に測定したときの、光源と二つの画線群と受光角度の位置関係を示す。（ｂ）は、本発明の実施の形態において画線が第２の方向（Ｙ）に平行に配置されて形成された二つの画線群を対象に、観察角度に応じて変化する色彩を機械的に測定したときの、光源と二つの画線群と受光角度の位置関係を示す。
【図９】本発明の実施の形態において第１のインキで形成された画線群を構成する二つの画線群を対象に測定した受光角度とそれぞれのＬ*，ａ*，ｂ*の変化を示す。
【図１０】本発明の実施の形態において第２のインキで形成された画線群を構成する二つの画線群を対象に測定した受光角度とそれぞれのＬ*，ａ*，ｂ*の変化を示す。
【図１１】本発明の実施の形態において第２の画線群を基準とした場合の、第１の画線群、第３の画線群、第４の画線群との受光角度別の色差ΔＥを示す。
【図１２】（ａ）は、本発明の実施の形態において、「観察角度領域Ａ」において観察される画像を示す。（ｂ）及び（ｃ）は、本発明の実施の形態において、「観察角度領域Ｂ」において観察される画像を示す。（ｄ）は、本発明の実施の形態において、「観察角度領域Ｃ」において観察される画像を示す。
【図１３】本発明の実施例１における情報担持体を示す。
【図１４】本発明の実施例１における第１の画像を示す。
【図１５】本発明の実施例１における第２の画像を示す。
【図１６】本発明の実施例１における第１のインキで形成された画線群を示す。
【図１７】本発明の実施例１における第２のインキで形成された画線群を示す。
【図１８】本発明の実施例１における四つの画線群が構成する図柄を示す。
【図１９】（ａ）は、本発明の実施例１において、「観察角度領域Ａ」において観察される画像を示す。（ｂ）及び（ｃ）は、本発明の実施例１において、「観察角度領域Ｂ」において観察される画像を示す。（ｄ）は、本発明の実施例１において、「観察角度領域Ｃ」において観察される画像を示す。
【図２０】本発明の実施例２における情報担持体を示す。
【図２１】本発明の実施例２における第１の画像を示す。
【図２２】本発明の実施例２における第２の画像を示す。
【図２３】本発明の実施例２における第３の画像を示す。
【図２４】本発明の実施例２における第１のインキで形成された画線群を示す。
【図２５】本発明の実施例２における第２のインキで形成された画線群を示す。
【図２６】本発明の実施例２における四つの画線群が構成する図柄を示す。
【図２７】本発明の実施例２における盛り上がりのある画線群を示す。
【図２８】（ａ）は、本発明の実施例２において、「観察角度領域Ａ」において観察される画像を示す。（ｂ）及び（ｃ）は、本発明の実施例２において、「観察角度領域Ｂ」において観察される画像を示す。（ｄ）は、本発明の実施例２において、「観察角度領域Ｃ」において観察される画像を示す。
【図２９】本発明の実施例３における情報担持体を示す。
【図３０】本発明の実施例３における第１の画像を示す。
【図３１】本発明の実施例３における第２の画像を示す。
【図３２】本発明の実施例３における第３の画像を示す。
【図３３】本発明の実施例３における第１のインキで形成された画線群を示す。
【図３４】本発明の実施例３における第２のインキで形成された画線群を示す。
【図３５】本発明の実施例３における四つの画線群が構成する図柄を示す。
【図３６】本発明の実施例３における盛り上がりのある画線群を示す。
【図３７】（ａ）は、本発明の実施例３において、「観察角度領域Ａ」において観察される画像を示す。（ｂ）及び（ｃ）は、本発明の実施例３において、「観察角度領域Ｂ」において観察される画像を示す。（ｄ）は、本発明の実施例３において、「観察角度領域Ｃ」において観察される画像を示す。
【図３８】本発明の実施例４における情報担持体を示す。
【図３９】本発明の実施例４における第１の画像を示す。
【図４０】本発明の実施例４における第２の画像を示す。
【図４１】本発明の実施例４における第３の画像を示す。
【図４２】本発明の実施例４における第１のインキで形成された画線群を示す。
【図４３】本発明の実施例４における第２のインキで形成された画線群を示す。
【図４４】本発明の実施例４における八つの画線群が構成する図柄を示す。
【図４５】（ａ）は、本発明の実施例４において、「観察角度領域Ａ」において観察される画像を示す。（ｂ）及び（ｃ）は、本発明の実施例４において、「観察角度領域Ｂ」において観察される画像を示す。（ｄ）は、本発明の実施例４において、「観察角度領域Ｃ」において観察される画像を示す。
【発明を実施するための形態】
【００２９】
本発明を実施するための最良の形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００３０】
次に、本発明の実施形態について図面を用いて説明する。図１は、本発明の実施の形態における情報担持体を示す。図２は、本発明の実施の形態における第１の画像を示す。図３は、本発明の実施の形態における第２の画像を示す。図４は、本発明の実施の形態における第１のインキで形成された画線群を示す。図５は、本発明の実施の形態における第２のインキで形成された画線群を示す。図６は、本発明の四つの画線群が構成する図柄を示す。図７は、本発明の情報担持体と光源と観察者の視点との位置関係による三つの観察領域を示す。図８（ａ）は、本発明の実施の形態において画線が第１の方向（Ｘ）に平行に配置されて形成した二つの画線群を対象に、観察角度に応じて変化する色彩を機械的に測定したときの、光源と二つの画線群と受光角度の位置関係を示し、（ｂ）は、本発明の実施の形態において画線が第２の方向（Ｙ）に平行に配置されて形成した二つの画線群を対象に、観察角度に応じて変化する色彩を機械的に測定したときの、光源と二つの画線群と受光角度の位置関係を示す。図９は、本発明の実施の形態において第１のインキで形成された画線群を構成する二つの画線群を対象に測定した受光角度とそれぞれのＬ*，ａ*，ｂ*の変化を示す。図１０は、本発明の実施の形態において第２のインキで形成された画線群を構成する二つの画線群を対象に測定した受光角度とそれぞれのＬ*，ａ*，ｂ*の変化を示す。図１１は、本発明の実施の形態において第２の画線群を基準とした場合の、第１の画線群、第３の画線群、第４の画線群との受光角度別の色差ΔＥを示す。図１２（ａ）は、本発明の実施の形態において、「観察角度領域Ａ」において観察される画像を示し、（ｂ）及び（ｃ）は、本発明の実施の形態において、「観察角度領域Ｂ」において観察される画像を示し、（ｄ）は、本発明の実施の形態において、「観察角度領域Ｃ」において観察される画像を示す。図１３は、本発明の実施例１における情報担持体を示す。図１４は、本発明の実施例１における第１の画像を示す。図１５は、本発明の実施例１における第２の画像を示す。図１６は、本発明の実施例１における第１のインキで形成された画線群を示す。図１７は、本発明の実施例１における第２のインキで形成された画線群を示す。図１８は、本発明の実施例１における四つの画線群が構成する図柄を示す。図１９（ａ）は、本発明の実施例１において、「観察角度領域Ａ」において観察される画像を示し、（ｂ）は、本発明の実施例１において、「観察角度領域Ｂ」において観察される画像を示し、（ｃ）は、本発明の実施例１において、「観察角度領域Ｂ」において観察される画像を示し、（ｄ）は、本発明の実施例１において、「観察角度領域Ｃ」において観察される画像を示す。図２０は、本発明の実施例２における情報担持体を示す。図２１は、本発明の実施例２における第１の画像を示す。図２２は、本発明の実施例２における第２の画像を示す。図２３は、本発明の実施例２における第３の画像を示す。図２４は、本発明の実施例２における第１のインキで形成された画線群を示す。図２５は、本発明の実施例２における第２のインキで形成された画線群を示す。図２６は、本発明の実施例２における四つの画線群が構成���る図柄を示す。図２７は、本発明の実施例２における盛り上がりのある画線群を示す。図２８（ａ）は、本発明の実施例２において、「観察角度領域Ａ」において観察される画像を示し、（ｂ）及び（ｃ）は、本発明の実施例２において、「観察角度領域Ｂ」において観察される画像を示し、（ｄ）は、本発明の実施例２において、「観察角度領域Ｃ」において観察される画像を示す。図２９は、本発明の実施例３における情報担持体を示す。図３０は、本発明の実施例３における第１の画像を示す。図３１は、本発明の実施例３における第２の画像を示す。図３２は、本発明の実施例３における第３の画像を示す。図３３は、本発明の実施例３における第１のインキで形成された画線群を示す。図３４は、本発明の実施例３における第２のインキで形成された画線群を示す。図３５は、本発明の実施例３における四つの画線群が構成する図柄を示す。図３６は、本発明の実施例３における盛り上がりのある画線群を示す。図３７（ａ）は、本発明の実施例３において、「観察角度領域Ａ」において観察される画像を示し、（ｂ）及び（ｃ）は、本発明の実施例３において、「観察角度領域Ｂ」において観察される画像を示し、（ｄ）は、本発明の実施例３において、「観察角度領域Ｃ」において観察される画像を示す。図３８は、本発明の実施例４における情報担持体を示す。図３９は、本発明の実施例４における第１の画像を示す。図４０は、本発明の実施例４における第２の画像を示す。図４１は、本発明の実施例４における第３の画像を示す。図４２は、本発明の実施例４における第１のインキで形成された画線群を示す。図４３は、本発明の実施例４における第２のインキで形成された画線群を示す。図４４は、本発明の実施例４における八つの画線群が構成する図柄を示す。図４５（ａ）は、本発明の実施例４において、「観察角度領域Ａ」において観察される画像を示し、（ｂ）及び（ｃ）は、本発明の実施例４において、「観察角度領域Ｂ」において観察される画像を示し、（ｄ）は、本発明の実施例４において、「観察角度領域Ｃ」において観察される画像を示す。
【００３１】
図１は、本発明の情報担持体（１）を示す図である。情報担持体（１）は、基材（２）の上の印刷領域（３）に、第１の画像（４）と第２の画像（５）を有している。
【００３２】
図２は、本発明の情報担持体における第１の画像（４）を示し、図３は、本発明の情報担持体における第２の画像（５）を示す。図２に示すように、第１の画像（４）は、「Ａ」の文字を形成している情報部（４ａ）と、「Ａ」の文字を取り囲む円から「Ａ」の文字を除いた背景部（４ｂ）から成る。図３に示すように、第２の画像（５）は、「Ｂ」の文字を形成している情報部（５ａ）と、「Ｂ」の文字を取り囲む円から「Ｂ」の文字を除いた背景部（５ｂ）から成る。
【００３３】
第１の画像（４）及び第２の画像（５）は、複数の画線群から成り、複数の画線群は、図４に示す画線群（６）と、図５に示す画線群（７）を構成しており、画線群（６）と、画線群（７）は、干渉色の異なる二種類の透明なインキによって形成されている。画線群（６）は、第１のインキによって形成され、画線群（７）は、第２のインキによって形成される。第１のインキ及び第２のインキについては、後述する。
【００３４】
また、第１のインキで形成された画線群（６）及び第２のインキで形成された画線群（７）は、それぞれ複数の画線群から形成されて成り、複数の画線群は、カラーフリップフロップ性を有し、盛り上がりのある画線が、複数配置されて形成されている。
【００３５】
図６に、第１のインキで形成された画線群（６）及び第２のインキで形成された画線群（７）を形成している複数の画線群におけるそれぞれの画線群の図柄を示す。第１のインキで形成される画線群（６）は、図６（ａ）に示す画線幅（Ｗ）の盛り上がりのある画線が第１の方向（Ｘ）にピッチ（Ｐ）で複数配置された第１の画線群（６ａ）と、図６（ｂ）に示す画線幅（Ｗ）の盛り上がりのある画線が第２の方向（Ｙ）にピッチ（Ｐ）で複数配置された第２の画線群（６ｂ）で形成される。第２のインキで形成される画線群（７）は、図６（ｃ）に示す画線幅（Ｗ）の盛り上がりのある画線が第１の方向（Ｘ）にピッチ（Ｐ）で複数配置された第３の画線群（７ａ）と、図６（ｄ）に示す画線幅（Ｗ）の盛り上がりのある画線が第２の方向（Ｙ）にピッチ（Ｐ）で複数配置された第４の画線群（７ｂ）で形成される。
【００３６】
これらの四つの画線群で第１の画像（４）と第２の画像（５）を構成することによって、情報担持体（１）の印刷領域（３）中には、図２及び図３に示すような二つの潜像画像が形成される。具体的には、第１の画線群（６ａ）と第３の画線群（７ａ）が第１の画像（４）の背景部（４ｂ）である「Ａ」の文字の周囲に、第２の画線群（６ｂ）と第４の画線群（７ｂ）が第１の画像（４）の情報部（４ａ）である「Ａ」の文字となり、一方、第１の画線群（６ａ）と第２の画線群（６ｂ）が第２の画像（５）の背景部（５ｂ）である「Ｂ」の文字の周囲となり、第３の画線群（７ａ）と第４の画線群（７ｂ）が第２の画像（５）の情報部（５ａ）である「Ｂ」の文字となる。
【００３７】
これにより、第１の画線群（６ａ）は、第１の画像（４）と第２の画像（５）の共通の背景部となり、第４の画線群（６ｄ）は、第１の画像（４）と第２の画像（５）の共通の情報部となる。以上が本発明の情報担持体（１）の基本的な構成である。
【００３８】
なお、ここで言う「画線」とは、点線や破線の分断線、直線、曲線及び波線のことであり、いかなる画線形状で構成しても本発明の技術思想に含まれる。
【００３９】
以下に、本発明の効果が生じる原理について説明する。まず、本発明の情報担持体の印刷領域中の画像がチェンジして観察される角度範囲を明確にするために、まず、図７に示すように観察者（９）と光源（８）と印刷物（１）の位置関係を定めたうえで、観察角度について定義する。
【００４０】
光が特定の角度で物体に入射した場合、入射した角度と反対の同じ角度に光を最も強く反射して強い正反射光を生じ、その角度と角度差が大きくなるにしたがって拡散反射光が強くなる。本明細書においては、図７のように光源（８）から光が入射角度−４５°で印刷物に向かって入射することとする。よって、光が最も強く反射する角度は４５°近傍となることから、この正反射光が支配的な観察角度領域を、本明細書では「観察角度領域Ｃ」と定義し、角度範囲は４５°±５°と定義する。また、この「観察角度領域Ｃ」近傍の正反射光と拡散反射光が同じ程度の割合で混在している観察角度領域を、「観察角度領域Ｂ」と定義し、角度範囲は２５°±１５°及び６５°±１５°と定義する。それ以外の正反射光がほとんど存在せず、拡散反射光が支配的な観察角度領域を「観察角度領域Ａ」と定義する。
【００４１】
「観察角度領域Ａ」においては、正反射光がほとんど存在しないことから、本発明の情報担持体を構成する画線群は、カラーフリップフロップ性を発揮しない。よって、第１のインキ及び第２のインキが透明又は半透明である場合には、印刷領域中の盛り上がりのある画線群は、ほとんど不可視であるか、わずかにインキの違いから生ずる色の異なりによって第２の画像が極めて弱く視認される程度である。ただし、盛り上がりのある画線群の下に、あらかじめ第３の画像を形成している（実施例２及び実施例３において記載する）場合及び第１のインキ及び第２のインキを着色して画線の太細を用いて第３の画像を形成した場合（実施例４において記載する）には、この「観察角度領域Ａ」で第３の画像が視認される。
【００４２】
「観察角度領域Ｂ」においては、正反射光が情報担持体から生じることになるため、情報担持体を構成する画線群は、カラーフリップフロップ性を発揮する。ただし、この領域では、正反射光が支配的な「観察角度領域Ｃ」と比較すると正反射光が半分以下であり、画線から発せられる干渉色は、比較的弱い。正反射光が入射すると、入射する光に対して垂直な角度を成した面が最も光を強く反射することから、この領域で最も強調されるのは、盛り上がりのある画線の角度の違いとなる。入射した光に対して、盛り上がりのある画線の表面が垂直な角度を成すか、又は水平な角度を成すかが最も重要であるため、この画線角度の違いによって、強く光を反射するか弱く反射するかの光の濃淡が生じることから、画線角度の違いによって形成した第１の画像が視認される。
【００４３】
「観察角度領域Ｃ」においては、正反射光が極めて強くなり、本発明の情報担持体を構成する画線群は、極めて強いカラーフリップフロップ性を発揮する。この領域では、印刷物に入射する光量や、用いるカラーフリップフリップ性を有する材料の光学特性にも左右されるが、主に画線角度の違いよりも、色相（干渉色）の違いがより一層強調される。よって、インキの違いによって形成した第２の画像が視認される。
【００４４】
以上が、本発明の情報担持体の印刷領域（３）中に観察される画像が、チェンジして観察される効果とその原理である。
【００４５】
次に、本発明の効果について、より客観的に評価するために、光学的測定値に基づいて説明する。まず、干渉色の異なるカラーフリップフロップ性を有する二つのインキで構成された、盛り上がりのある画線角度の異なる二種類の画線群（合計四種類）が、一定方向から入射する光に対して、観察角度に応じて色彩が変化する測定値を示す。
【００４６】
第１のインキは、表１に示す配合で、第２のインキは、表２に示す配合でインキを混合し、印刷物を作製して測定用サンプルとしている。第１のインキは、カラーフリップフロップ性を有する顔料として、干渉色が金色の虹彩色パール顔料を用いて形成したものであり、「観察角度領域Ａ」では無色透明であって、「観察角度領域Ｂ」では弱い金色の干渉色を発し、「観察角度領域Ｃ」では極めて強い金色の干渉色を発するインキである。第２のインキは、カラーフリップフロップ性を有する顔料として、干渉色が赤色の虹彩色パール顔料を用いて形成したものであり、「観察角度領域Ａ」では無色透明であって、「観察角度領域Ｂ」では弱い赤色の干渉色を発し、「観察角度領域Ｃ」では極めて強い赤色の干渉色を発するインキである。
【００４７】
【表１】
2011020283.tif 000003
【００４８】
【表２】
2011020283.tif 000004
【００４９】
図８（ａ）に示すように、画線を第１の方向（Ｘ）に連続、かつ、平行に配置して成り、第１のインキで形成した第１の画線群（６ａ）及び第２のインキで形成した第３の画線群（７ａ）に対して、角度−４５°で光源（８）から光を入射し、画線方向に対して直角方向に受光角度−３０°から８０°までのＬ*,ａ*,ｂ*の値であるＬ６ａ*,ａ６ａ*,ｂ６ａ*及びＬ７ａ*,ａ７ａ*,ｂ７ａ*の値を測定した。また、図８（ｂ）のように画線を第２の方向（Ｙ）に連続、かつ、平行に配置して成り、第１のインキで形成した第２の画線群（６ｂ）及び第２のインキで形成した第４の画線群（７ｂ）に対して、角度−４５°で光源（８）から光を入射し、画線方向に対して平行方向に受光角度−３０°から８０°までのＬ*,ａ*,ｂ*の値であるＬ６ｂ*,ａ６ｂ*,ｂ６ｂ*及びＬ７ｂ*,ａ７ｂ*,ｂ７ｂ*の値を測定した。それぞれの画線群の画線ピッチと画線幅は、画線ピッチ０．４ｍｍ、画線幅０．３ｍｍとした。Ｌ*,ａ*,ｂ*の値は、変角分光測色システムＧＣＭＳ−４型〔株式会社村上色彩技術研究所製〕を使用して測定した。
【００５０】
第１のインキで形成した第１の画線群（６ａ）におけるＬ６ａ*,ａ６ａ*,ｂ６ａ*及び第２の画線群（６ｂ）におけるＬ６ｂ*,ａ６ｂ*,ｂ６ｂ*の値を示したのが図９のグラフであり、第２のインキで形成した第３の画線群（７ａ）におけるＬ７ａ*,ａ７ａ*,ｂ７ａ*及び第４の画線群（７ｂ）におけるＬ７ｂ*,ａ７ｂ*,ｂ７ｂ*の値を示したのが図１０のグラフである。それぞれのグラフから、画線ピッチや画線幅が全く同一な画線であっても、画線角度が異なっていることで、明度や彩度、色相が異なって観察される受光角度があることがわかる。
【００５１】
四つの画線群の色彩の差異を、受光角度別にわかりやすく説明するため、図９及び図１０に示す二つのグラフのＬ*,ａ*,ｂ*の四つのデータを基にして、一つの画線群を基準とした場合のそれぞれの画線群同士の色彩の異なり具合を色差ΔＥに換算したデータを図１１に示す。第２の画線群（６ｂ）のＬ６ｂ*,ａ６ｂ*,ｂ６ｂ*を基準として、第１の画線群（６ａ）のＬ６ａ*,ａ６ａ*,ｂ６ａ  の色差を算出してプロットしたのが折れ線（１０）であり、第３の画線群（７ａ）のＬ７ａ*,ａ７ａ*,ｂ７ａ*の色差を算出してプロットしたのが折れ線（１１）であり、第４の画線群（７ｂ）のＬ７ｂ*,ａ７ｂ*,ｂ７ｂ*の色差を算出してプロットしたのが折れ線（１２）である。
【００５２】
色差ΔＥは、基準とした画線の色と比較対象とした画線の色が違う場合に大きな値を示すものであり、一般にΔＥが小さいと基準色に近いと評価され、ΔＥが大きいと基準色と異なると評価される。
【００５３】
図１１のグラフから、「観察角度領域Ａ」では、第１の画線群（６ａ）のΔＥは、相対的に小さく、第３の画線群（７ａ）と第４の画線群（７ｂ）のΔＥは、相対的に大きく、かつ、同じ程度の値であることから、第１の画線群（６ａ）と第２の画線群（６ｂ）は、同じ色として視認され、第３の画線群（７ａ）と第４の画線群（７ｂ）は、同じ色として視認される。また、第１の画線群（６ａ）と第２の画線群（６ｂ）の組み合わせと、第３の画線群（７ａ）と第４の画線群（７ｂ）の組み合わせ同士は、相対的に異なる色に見えることとなる。よって、「観察角度領域Ａ」では、観察者には、インキの違いによって形成した第２の画像（５）が視認される。ただし、ΔＥ数値は、１０程度と大きな値ではないことから、視認性はそれほど高くなく、極めて弱く視認される程度である。
【００５４】
また、図１１のグラフから、「観察角度領域Ｂ」では、第１の画線群（６ａ）と第３の画線群（７ａ）のΔＥは、相対的に大きな値であり、第４の画線群（７ｂ）のΔＥは、相対的に小さい値であることから、第１の画線群（６ａ）と第３の画線群（７ａ）は、相対的に近い色として視認され、第２の画線群（６ｂ）と第４の画線群（７ｂ）は、同じ色として視認される。また、第１の画線群（６ａ）と第３の画線群（７ａ）の組み合わせと、第２の画線群（６ｂ）と第４の画線群（７ｂ）の組み合わせ同士は、相対的に異なる色に見えることとなる。よって、「観察角度領域Ｂ」では、観察者には、画線角度の違いによって形成した第１の画像（４）が視認される。
【００５５】
また、図１１のグラフから、「観察角度領域Ｃ」では、第３の画線群（７ａ）と第４の画線群（７ｂ）のΔＥは、相対的に大きな値であり、第１の画線群（６ａ）のΔＥは、相対的に小さい値であることから、第１の画線群（６ａ）と第２の画線群（６ｂ）は、相対的に近い色として視認され、第３の画線群（７ａ）と第４の画線群（７ｂ）は、同じ色として視認される。また、第１の画線群（６ａ）と第２の画線群（６ｂ）の組み合わせと、第３の画線群（７ａ）と第４の画線群（７ｂ）の組み合わせ同士は、相対的に異なる色に見えることとなる。よって、「観察角度領域Ａ」では、観察者には、インキの違いによって形成した第２の画像（５）が視認される。
【００５６】
以上のように、本発明の情報担持体は、「観察角度領域Ａ」では、図１２（ａ）に示すように第２の画像（５）が極めて弱く視認される。「観察角度領域Ｂ」では、図１２（ｂ）及び図１２（ｃ）に示すように第１の画像（４）が情報部と背景部がインキの干渉色である金色と赤色の色彩をわずかに伴いながらも、主に光の強弱が作り出す濃淡によってネガポジ反転した画像で視認される。「観察角度領域Ｃ」では、図１２（ｄ）に示すように第２の画像（５）の背景部は、第１のインキに含まれる材料の干渉色である金色で、情報部は、第２のインキに含まれる材料の干渉色である赤色で視認される。
【００５７】
「観察角度領域Ｂ」において観察できる第１の画像（４）がネガポジ反転して観察される理由として、我々が生活する一般的な観察環境は、少なくとも多数の入射光が存在する環境であり、多くの場合、情報部と背景部、いずれの画線に対しても直角に近い角度を成して入射する光が存在している。このように通常の環境で観察した場合には、「観察角度領域Ｂ」の中で印刷物を傾けることによって、背景部を形成する画線の明度が、情報部を形成する画線の明度を上回った場合に、情報部はネガとして観察される。よって、通常の環境で印刷物を傾けて観察した場合には、「観察角度領域Ｂ」において情報部がネガからポジ、又はポジからネガへの濃淡反転が観察される。
【００５８】
本明細書中でいうカラーフリップフロップ性とは、通常の色材や金や銀色といったメタリック系材料のように、光が入射した場合に単に明度のみが変化する、いわゆる明暗フリップフロップ性とは異なり、明度のみでなく色相及び／又は彩度を含めた色調が変化する効果のことである。
【００５９】
カラーフリップフロップ性を有する材料としては、鱗片状マイカ顔料、鱗片状シリカ顔料、鱗片状金属顔料、ガラスフレーク顔料、コレステリック液晶顔料等が考えられる。代表的な顔料としては、鱗片状マイカ顔料である虹彩色パール顔料が挙げられる。また、その場合、虹彩色パール顔料の粒子の大きさは、使用する印刷方式に応じて選択するものであるが、１〜５０μｍであり、平均粒径は、５〜１５μｍ程度が好ましい。このように、いずれのパール顔料を用いても良いが、より鱗片状顔料の配向性（リーフィング効果）を向上させるためには、３μｍ〜５０μｍの盛り上がりのある線画の表面で顔料が配向するような処理を施すことが望ましい。具体的には、例えば特開２００１−１０６９３７号公報に記載されたような撥水、撥油性処理等の表面処理を行うことで、印刷部の画線表面で顔料を配向させることができ、正反射光によるパールの干渉色をより鮮やかに出現させることが可能となる。本明細書に記載したパール顔料は市販の顔料に対して、すべて前述の表面処理を行って用いている。
【００６０】
また、画線群を形成する画線の盛り上がりの高さについては、最低３μｍ以上あれば画像のチェンジ効果を発揮する。また、効果の面から考えると、画線の盛り上がりは高いほど良いが、流通適性や印刷で容易に付与可能な画線高さ等を考慮すると、５０μｍ以下とする。よって、盛り上がりのある画線の高さは、３μｍ〜５０μｍとする。
【００６１】
第１のインキと第２のインキについては、それぞれが異なる色相の干渉色を発するインキとする。これは、第１のインキを第２のインキが同じ色相である場合には、第２の画像（５）の視認性が低くなってしまうためであり、望ましくは補色関係か、それに近い関係の干渉色の組み合わせを用いるのが好ましい。
【００６２】
印刷方式は、比較的粒径の大きなパール顔料を使用する必要があることから、フレキソ印刷方式、スクリーン印刷方式や凹版印刷方式とする。この中でもＵＶ乾燥型のスクリーン印刷方式が、形成する画線の高さの自由度や使用するパール顔料の粒径の許容性から、好ましい。本発明の真偽判別可能な情報担持体に用いる基材は、紙、フィルム、プラスチック等、特に限定されるものではない。
【００６３】
ピッチ（Ｐ）については、２０μｍ以上２ｍｍ以下とする。ピッチを小さくすることによって、より高解像度の画像が形成可能となるが、印刷で再現可能な解像度等を考慮すると、２０μｍ以上必要である。また、ピッチが大きすぎる場合には、画像の解像度が低下してしまうことから、２ｍｍ以下とすることが望ましいためである。
【００６４】
画線幅（Ｗ）については、１０μｍ以上２ｍｍ以下とする。理由については、ピッチの場合と同様である。
【００６５】
第１の画線群（６ａ）を形成する画線の画線幅と、第２の画線群（６ｂ）を形成する画線の画線幅は同じ幅であり、第３の画線群（７ａ）を形成する画線の画線幅と、第４の画線群（７ｂ）を形成する画線の画線幅は同じ幅であることが望ましい。これは、「観察角度領域Ｃ」において、画線の干渉色の違いとともに、画線面積率の違いが強調されてしまうためである。よって、第１の画線群（６ａ）を形成する画線の画線幅と、第２の画線群（６ｂ）を形成する画線の画線幅が異なっていたり、第３の画線群（７ａ）を形成する画線の画線幅と、第４の画線群（７ｂ）を形成する画線の画線幅が異なったりしている場合、第１の画像（４）が「観察角度領域Ｃ」でも出現し、第２の画像（５）と混ざり合って視認されるため、第１の画線群（６ａ）を形成する画線の画線幅と、第２の画線群（６ｂ）を形成する画線の画線幅は同じ幅であり、第３の画線群（７ａ）を形成する画線の画線幅と、第４の画線群（７ｂ）を形成する画線の画線幅は同じ幅であることが望ましい。
【００６６】
ただし、ここで言う「画線幅が同じ幅」とは、まったくの誤差がないことを言うのではなく、画線幅に多少の誤差はあってもよく、本発明の効果を損なわない程度であれば、その誤差については、本発明における実施の形態の範疇である。また、第１の画線群（６ａ）を形成する画線の画線幅と、第３の画線群（７ａ）を形成する画線の画線幅は、同じ幅である必要はなく、さらに、第２の画線群（６ｂ）を形成する画線の画線幅第４の画線群（７ｂ）を形成する画線の画線幅は、同じ幅である必要はない。
【００６７】
ただし、後述する実施例４のように、第３の画像を、第１の画像及び第２の画像と同時に、盛り上がりのある画線による画線群で形成する場合は、この限りではない。これについての詳細な説明は、実施例４で後述する。
【００６８】
また、第１の画像（４）を構成する画線群の画線おいて、第１の方向（Ｘ）に複数配置した画線と第２の方向（Ｙ）に複数配置した画線の角度差については、１５°以上９０°以下の角度差を設ける必要があり、最も望ましい角度差は、９０°である。これは、角度差を１５°以下の角度差で形成すると、角度の異なる画線群間の違いが小さくなり、第１の画像（４）の視認性が低くなるためである。
【実施例１】
【００６９】
図１３は、本発明の情報担持体（１−１）を示す図である。情報担持体（１−１）は、基材（２−１）の上の印刷領域（３−１）に、第１の画像（４−１）と第２の画像（５−１）を有している。
【００７０】
図１４は、本発明の情報担持体における第１の画像（４）を示し、図１５は、本発明の情報担持体における第２の画像（５）を示す。図１４に示すように、第１の画像（４−１）は、「Ａ」の文字を形成している情報部（４ａ−１）と、「Ａ」の文字を取り囲む円から「Ａ」の文字を除いた背景部（４ｂ−１）から成る。図１５に示すように、第２の画像（５−１）は、「Ｂ」の文字を形成している情報部（５ａ−１）と、「Ｂ」の文字を取り囲む円から「Ｂ」の文字を除いた背景部（５ｂ−１）から成る。
【００７１】
第１の画像（４−１）及び第２の画像（５−１）は、複数の画線群から成り、複数の画線群は、図１６に示す第１のインキで形成された画線群（６−１）と、図１７に示す第２のインキで形成された画線群（７−１）を構成しており、第１のインキで形成された画線群（６−１）と、第２のインキで形成された画線群（７−１）は、干渉色の異なる二種類の透明なインキによって形成されている。
【００７２】
また、第１のインキで形成された画線群（６−１）及び第２のインキで形成された画線群（７−１）は、それぞれ複数の画線群から形成されて成り、複数の画線群は、カラーフリップフロップ性を有し、盛り上がりのある画線が、複数配置されて形成されている。
【００７３】
図１８に、図１６で示した第１のインキで形成された画線群（６−１）及び図１７で示した第２のインキで形成された画線群（７−１）を形成している複数の画線群における、それぞれの画線群の図柄とその一部拡大図を示す。
【００７４】
第１のインキで形成された画線群（６−１）は、画線幅０．３ｍｍの盛り上がりのある画線が第１の方向（Ｘ）にピッチ０．４ｍｍで複数配置された第１の画線群（６ａ−１）と、画線幅０．３ｍｍの盛り上がりのある画線が第２の方向（Ｙ）にピッチ０．４ｍｍで複数配置された第２の画線群（６ｂ−１）から形成される。第２のインキで形成された画線群（７−１）は、画線幅０．３ｍｍの盛り上がりのある画線が第１の方向（Ｘ）にピッチ０．４ｍｍで複数配置された第３の画線群（７ａ−１）と、画線幅０．３ｍｍの盛り上がりのある画線が第２の方向（Ｙ）にピッチ０．４ｍｍで複数配置された第４の画線群（７ｂ−１）から形成される。画線群（６−１）は第１のインキを用い、画線群（７−１）は第２のインキを用いて、ＵＶ乾燥型インキを使用したスクリーン印刷方式（以下、「ＵＶスクリーン印刷方式」という。）で印刷を行った。いずれも、画線の盛り上がり高さは、約１０μｍである。
【００７５】
これらの四つの画線群で第１の画像（４−１）と第２の画像（５−１）を構成することによって、情報担持体（１−１）の印刷領域（３−１）中に二つの潜像画像が形成される。
【００７６】
第１の画像（４−１）における情報部と背景部は、画線の方向の違いによって形成されるため、第２の画線群（６ｂ−１）と第４の画線群（７ｂ−１）が第１の画像（４−１）の情報部（４ａ−１）である「Ａ」の文字と成り、第１の画線群（６ａ−１）と第３の画線群（７ａ−１）が第１の画像（４−１）の背景部（４ｂ−１）である「Ａ」の文字の周囲となる。
【００７７】
また、第２の画像（５−１）における情報部と背景部は、インキの色の違いによって形成されるため、第３の画線群（７ａ−１）と第４の画線群（７ｂ−１）が第２の画像（５−１）の情報部（５ａ−１）である「Ｂ」の文字と成り、第１の画線群（６ａ−１）と第２の画線群（６ｂ−１）が第２の画像（５−１）の背景部（５ｂ−１）である「Ｂ」の文字の周囲となる。
【００７８】
これにより、第４の画線群（７ｂ−１）は、第１の画像（４−１）と第２の画像（５−１）の共通の情報部と成り、第１の画線群（６ａ−１）は、第１の画像（４−１）と第２の画像（５−１）の共通の背景部と成る。
【００７９】
以上の構成で形成した情報担持体（１−１）の目視上の効果について、図１９（ａ）、図１９（ｂ）、図１９（ｃ）、図１９（ｄ）を用いて説明する。図１９（ａ）は「観察角度領域Ａ」で情報担持体（１−１）を観察した場合に、目視上視認される画像であり、わずかに第２の画像（５−１）が認識された。図１９（ｂ）及び図１９（ｃ）は「観察角度領域Ｂ」で情報担持体（１−１）をフリップさせて観察した場合に、ポジからネガ又はネガからポジに明度のみが変化し、「Ａ」の文字がわずかに金色と赤色の干渉色を伴った光の濃淡によって、反転しながら視認された。図１９（ｄ）は、「観察角度領域Ｃ」で情報担持体（１−１）を観察した場合に目視上、視認される画像であり、第２の画像（５−１）が色相の違いを有して鮮やかに出現した。情報部（５ａ−１）は、第２のインキの干渉色である赤色であり、背景部（５ｂ−１）は第１のインキの干渉色である金色で表現される。以上のように、観察角度領域を変化させる毎に、第１の画像（４−１）と第２の画像（５−１）がチェンジする効果を有することが確認できた。
【実施例２】
【００８０】
本実施例２において、実施の形態及び実施例１で記載した第１の画像と第２の画像の二つの画像をチェンジさせる効果に加え、第１の画像及び第２の画像と、基材との間に第３の画像を付加することで、三つの画像をチェンジさせる効果を備えた形態について説明する。
【００８１】
図２０は、本発明の情報担持体（１−２）を示す図である。情報担持体（１−２）は、基材（２−２）の上の印刷領域（３−２）に、第３の画像（１３−２）を有し、その上に第１の画像（４−２）と第２の画像（５−２）を有している。
【００８２】
図２１は、本発明の情報担持体における第１の画像（４−２）を示し、図２２は、本発明の情報担持体における第２の画像（５−２）を示し、図２３は、本発明の情報担持体における第３の画像（１３−２）を示す。
【００８３】
図２３に示すように、第３の画像（１３−２）は、「Ｃ」の文字を成す情報部（１３ａ−２）とそれを取り囲む円から「Ｃ」の文字を取り除いた背景部（１３ｂ−２）から成っており、情報部（１３ａ−２）の網点面積率は、１００％、背景部（１３ｂ−２）の網点面積率は、５０％である。この第３の画像（１３−２）を、赤色インキ（大日本インキ化学工業株式会社製  Ｄａｉ  ｃｕｒｅ  セプターＤＴ  プロセス紅 」によって、オフセット印刷で基材上に形成する。
【００８４】
図２１に示すように、第１の画像（４−２）は、「Ａ」の文字を形成している情報部（４ａ−２）と、「Ａ」の文字を取り囲む円から「Ａ」の文字を除いた背景部（４ｂ−２）から成る。図２２に示すように、第２の画像（５−２）は、「Ｂ」の文字を形成している情報部（５ａ−２）と、「Ｂ」の文字を取り囲む円から「Ｂ」の文字を除いた背景部（５ｂ−２）から成る。
【００８５】
第１の画像（４−２）及び第２の画像（５−２）は、複数の画線群から成り、複数の画線群は、図２４に示す第１のインキで形成された画線群（６−２）と、図２５に示す第２のインキで形成された画線群（７−２）を構成しており、第１のインキで形成された画線群（６−２）と、第２のインキで形成された画線群（７−２）干渉色の異なる二種類の透明なインキによって形成されている。
【００８６】
また、第１のインキで形成された画線群（６−２）及び第２のインキで形成された画線群（７−２）は、それぞれ複数の画線群から形成されて成り、複数の画線群は、カラーフリップフロップ性を有し、盛り上がりのある画線が、複数配置されて形成されている。
【００８７】
図２６に、図２４で示した第１のインキで形成された画線群（６−２）及び図２５で示した第２のインキで形成された画線群（７−２）を形成している複数の画線群における、それぞれの画線群の図柄とその一部拡大図を示す。
【００８８】
第１のインキで形成された画線群（６−２）は、画線幅０．３ｍｍの盛り上がりのある画線が第１の方向（Ｘ）にピッチ０．４ｍｍで複数配置された第１の画線群（６ａ−２）と、画線幅０．３ｍｍの盛り上がりのある画線が第２の方向（Ｙ）にピッチ０．４ｍｍで複数配置された第２の画線群（６ｂ−２）から形成される。第２のインキで形成された画線群（７−２）は、画線幅０．３ｍｍの盛り上がりのある画線が第１の方向（Ｘ）にピッチ０．４ｍｍで複数配置された第３の画線群（７ａ−２）と、画線幅０．３ｍｍの盛り上がりのある画線が第２の方向（Ｙ）にピッチ０．４ｍｍで複数配置された第４の画線群（７ｂ−２）から形成される。
【００８９】
図２７に、第１のインキで形成された画線群（６−２）と第２のインキで形成された画線群（７−２）から成る画線構成を示す。画線群（６−２）は、第１のインキによって、画線群（７−２）は、第２のインキによって、ＵＶスクリーン印刷方式で、図２７に示す画像を第３の画像（１３−２）の上に形成した。画線の盛り上がり高さは、約１０μｍである。
【００９０】
以上の構成で形成した情報担持体（１−２）の目視上の効果について、図２８（ａ）、図２８（ｂ）、図２８（ｃ）、図２８（ｄ）を用いて説明する。図２８（ａ）は「観察角度領域Ａ」で情報担持体（１−２）を観察した場合に、目視上視認される画像であり、赤色の濃淡を有した第３の画像（１３−２）が認識される。図２８（ｂ）及び図２８（ｃ）は「観察角度領域Ｂ」で情報担持体（１−２）をフリップさせて観察した場合に、ポジからネガ又はネガからポジに明度のみが変化し、「Ａ」の文字がわずかに金色と赤色の干渉色を伴った光の濃淡によって、反転しながら視認される画像である。図２８（ｄ）は、「観察角度領域Ｃ」で情報担持体（１−２）を観察した場合に目視上、視認される画像であり、第２の画像（５−２）が色相の違いを有して鮮やかに出現する。情報部（５ａ−２）は、第２のインキの干渉色である赤色であり、背景部（５ｂ−２）は第１のインキの干渉色である金色で表現される。以上のように、観察角度領域を変化させる毎に、第３の画像（１３−２）から、第１の画像（４−２）と第２の画像（５−２）がチェンジする効果を有することが確認できた。
【００９１】
本実施例２では、第３の画像（１３−２）を赤色のインキで形成したが、色については特に制限はなく、基材と異なる色を有していればよい。また、赤や青といった通常の着色インキで形成してもよいし、金や銀のようなメタリックインキで形成してもよい（これについては実施例３で後述する）。また、画像に盛り上がりは必要ではないため、オフセット印刷や凸版印刷等で形成してもなんら問題なく、プリンターで形成することも可能である。
【００９２】
第３の画像（１３−２）については、情報部（１３ａ−２）と背景部（１３ｂ−２）の面積率の差異が小さすぎる場合、情報部（１３ａ−２）と背景部（１３ｂ−２）の差異が不鮮明になることから、「観察角度領域Ａ」において出現する第３の画像（１３−２）が視認しづらくなる。また、情報部（１３ａ−２）と背景部（１３ｂ−２）の面積率の差異が大きすぎる場合、情報部（１３ａ−２）と背景部（１３ｂ−２）の差異は鮮明になり画像を視認しやすくなるものの、「観察角度領域Ｂ」や「観察角度領域Ｃ」における観察においても第３の画像が消失せず、第１の画像や第２の画像と混ざり合って出現してしまう。よって、第３の画像（１３−２）については、情報部（１３ａ−２）と背景部（１３ｂ−２）の面積率の差異には一定の制限を設けて形成する必要がある。面積率は、１５％以上５０％以下の差異を設ける。
【００９３】
なお、本明細書中で言う面積率とは、一定の面積中に占める、画線や画素、網点等で形成された面積の割合のことであり、画線幅の太細や画素又は網点の大小等で表現できることに加え、画線、画素、網点等の粗密をもって形成することも可能である。
【実施例３】
【００９４】
本実施例３において、実施例２と同様に、第３の画像を加えた三つの画像をチェンジさせる効果を備えた形態であって、第３の画像にメタリックインキを用いた階調画像を形成する例について説明する。
【００９５】
図２９は、本発明の情報担持体（１−３）を示す図である。情報担持体（１−３）は、基材（２−３）の上の印刷領域（３−３）に、第３の画像（１３−３）を有し、その上に第１の画像（４−３）と第２の画像（５−３）を有している。
【００９６】
図３０は、本発明の情報担持体における第１の画像（４−３）を示し、図３１は、本発明の情報担持体における第２の画像（５−３）を示し、図３２は、本発明の情報担持体における第３の画像（１３−３）を示す。
【００９７】
図３２に示すように、第３の画像（１３−３）は、女性の顔を成す情報部（１３ａ−３）と、それを取り囲む円から情報部を取り除いた背景部（１３ｂ−３）から成っており、情報部（１３ａ−３）の網点面積率は、６５％から１００％の範囲で形成し、背景部（１３ｂ−３）の網点面積率は、５０％である。この第３の画像（１３−３）を、銀色のメタリックインキ（Ｔ＆Ｋ  ＴＯＫＡ製  ＵＶ  ＮＯ３  シルバー）によって、オフセット印刷で基材上に形成する。
【００９８】
図３０に示すように、第１の画像（４−３）は、「Ａ」の文字を形成している情報部（４ａ−３）と、「Ａ」の文字を取り囲む円から「Ａ」の文字を除いた背景部（４ｂ−３）から成る。図３１に示すように、第２の画像（５−３）は、「Ｂ」の文字を形成している情報部（５ａ−３）と、「Ｂ」の文字を取り囲む円から「Ｂ」の文字を除いた背景部（５ｂ−３）から成る。
【００９９】
第１の画像（４−３）及び第２の画像（５−３）は、複数の画線群から成り、複数の画線群は、図３３に示す第１のインキで形成された画線群（６−３）と、図３４に示す第２のインキで形成された画線群（７−３）を構成しており、第１のインキで形成された画線群（６−３）と、第２のインキで形成された画線群（７−３）は、干渉色の異なる二種類の透明なインキによって形成されている。
【０１００】
また、第１のインキで形成された画線群（６−３）及び第２のインキで形成された画線群（７−３）は、それぞれ複数の画線群から形成されて成り、複数の画線群は、カラーフリップフロップ性を有し、盛り上がりのある画線が、複数配置されて形成されている。
【０１０１】
図３５に、図３３で示した第１のインキで形成された画線群（６−３）及び図３４で示した第２のインキで形成された画線群（７−３）を形成している複数の画線群における、それぞれの画線群の図柄とその一部拡大図を示す。
【０１０２】
第１のインキで形成された画線群（６−３）は、画線幅０．３ｍｍの盛り上がりのある画線が第１の方向（Ｘ）にピッチ０．４ｍｍで複数配置された第１の画線群（６ａ−３）と、画線幅０．３ｍｍの盛り上がりのある画線が第２の方向（Ｙ）にピッチ０．４ｍｍで複数配置された第２の画線群（６ｂ−３）から形成される。第２のインキで形成された画線群（７−３）は、画線幅０．３ｍｍの盛り上がりのある画線が第１の方向（Ｘ）にピッチ０．４ｍｍで複数配置された第３の画線群（７ａ−３）と、画線幅０．３ｍｍの盛り上がりのある画線が第２の方向（Ｙ）にピッチ０．４ｍｍで複数配置された第４の画線群（７ｂ−３）から形成される。
【０１０３】
図３６に、第１のインキで形成された画線群（７−３）と第２のインキで形成された画線群（６−３）から成る画線構成を示す。画線群（７−３）は第１のインキによって、画線群（６−３）は第２のインキによって、ＵＶスクリーン印刷方式で、図３６に示す画像を第３の画像（１３−３）の上に形成した。画線の盛り上がり高さは、約１０μｍである。
【０１０４】
以上の構成で形成した情報担持体（１−３）の目視上の効果について、図３７（ａ）、図３７（ｂ）、図３７（ｃ）、図３７（ｄ）を用いて説明する。図３７（ａ）は「観察角度領域Ａ」で情報担持体（１−３）を観察した場合に、目視上視認される画像であり、銀色の濃淡を有した第３の画像（１３−３）が認識される。図３７（ｂ）及び図３７（ｃ）は「観察角度領域Ｂ」で情報担持体（１−３）をフリップさせて観察した場合に、ポジからネガ又はネガからポジに明度のみが変化し、「Ａ」の文字がわずかに金色と赤色の干渉色を伴った光の濃淡によって、反転しながら視認される画像である。図３７（ｄ）は、「観察角度領域Ｃ」で情報担持体（１−３）を観察した場合に目視上、視認される画像であり、第２の画像（５−３）が色相の違いを有して鮮やかに出現する。情報部（５ａ−３）は、第２のインキの干渉色である赤色であり、背景部（５ｂ−３）は第１のインキの干渉色である金色で表現される。以上のように、観察角度領域を変化させる毎に、第３の画像（１３−３）から、第１の画像（４−３）と第２の画像（５−３）がチェンジする効果を有することが確認できた。
【実施例４】
【０１０５】
本実施例４において、実施例２同様に、第３の画像を加えた三つの画像をチェンジさせる効果を備えた形態であって、第３の画像については、実施例２及び実施例３のように盛り上がりのある画線とは別に印刷して形成するのではなく、盛り上がりのある画線の太細を用いて形成する例について説明する。
【０１０６】
図３８は、本発明の情報担持体（１−４）を示す図である。情報担持体（１−４）は、基材（２−４）の上の印刷領域（３−４）に、第１の画像（４−４）、第２の画像（５−４）及び第３の画像（１３−４）を有している。
【０１０７】
図３９は、本発明の情報担持体における第１の画像（４−４）を示し、図４０は、本発明の情報担持体における第２の画像（５−４）を示し、図４１は、本発明の情報担持体における第３の画像（１３−４）を示す。
【０１０８】
図３９に示すように、第１の画像（４−４）は、「Ａ」の文字を形成している情報部（４ａ−４）と、「Ａ」の文字を取り囲む円から「Ａ」の文字を除いた背景部（４ｂ−４）から成る。また、図４０に示すように、第２の画像（５−４）は、「Ｂ」の文字を形成している情報部（５ａ−４）と、「Ｂ」の文字を取り囲む円から「Ｂ」の文字を除いた背景部（５ｂ−４）から成る。また、図４１に示すように、第３の画像（１３−４）は、「Ｃ」を成す情報部（１３ａ−４）と、「Ｃ」の文字を取り囲む円から「Ｃ」の文字を取り除いた背景部（１３ｂ−４）から成っている。
【０１０９】
第１の画像（４−４）、第２の画像（５−４）及び第３の画像（１３−４）は、複数の画線群から成り、複数の画線群は、図４２に示す画線群（６−４）と、図４３に示す画線群（７−４）を構成しており、画線群（６−４）は、表３に示した第１のインキによって形成され、画線群（７−４）は、表４に示した第２のインキによって形成される。第１のインキと第２のインキは、基材と異なる色を有し、正反射時の干渉色の異なるインキである。
【０１１０】
また、第１のインキで形成された画線群（６−４）及び第２のインキで形成された画線群（７−４）は、それぞれ複数の画線群から形成されて成り、複数の画線群は、カラーフリップフロップ性を有し、盛り上がりのある画線が、複数配置されて形成されている。
【０１１１】
【表３】
2011020283.tif 000005
【０１１２】
【表４】
2011020283.tif 000006
【０１１３】
表３に示すインキは、表１に示したインキに黒色の着色顔料を微量加えたインキであって、「観察角度領域Ａ」では灰色で観察され、正反射光が入射することで、金色の干渉色を発するインキである。表４に示すインキは、表２に示したインキに黒色の着色顔料を微量加えたインキであって、「観察角度領域Ａ」では灰色で観察され、正反射光が入射することで、赤色の干渉色を発するインキである。また、「観察角度領域Ａ」においては表３のインキと表４のインキは等色の関係にある。
【０１１４】
図４４に、図４２で示した第１のインキで形成された画線群（６−４）及び図４３で示した第２のインキで形成された画線群（７−４）を形成している複数の画線群における、それぞれの画線群の図柄を示す。
【０１１５】
第１のインキで形成された画線群（６−４）は、画線幅０．２５ｍｍの盛り上がりのある画線が第１の方向（Ｘ）にピッチ.０．４ｍｍで複数配置された第１の画線群（６ａ−４）と、画線幅０．２５ｍｍの盛り上がりのある画線が第２の方向（Ｙ）にピッチ０．４ｍｍで複数配置された第２の画線群（６ｂ−４）と、画線幅０．３０ｍｍの盛り上がりのある画線が第１の方向（Ｘ）にピッチ.０．４ｍｍで複数配置された第３の画線群（６ｃ−４）と、画線幅０．３０ｍｍの盛り上がりのある画線が第２の方向（Ｙ）にピッチ０．４ｍｍで複数配置された第４の画線群（６ｄ−４）から形成される。画線幅の太い第３の画線群（６ｃ−４）と第４の画線群（６ｄ−４）は、第３の画像（１３−４）の情報部（１３ａ−４）の一部を形成し、画線幅の細い第１の画線群（６ａ−４）と第２の画線群（６ｂ−４）は、第３の画像（１３−４）の背景部（１３ｂ−４）の一部を形成している。
【０１１６】
第２のインキで形成された画線群（７−４）は、画線幅０．２５ｍｍの盛り上がりのある画線が第１の方向（Ｘ）にピッチ０．４ｍｍで複数配置された第５の画線群（７ａ−４）と、画線幅０．２５ｍｍの盛り上がりのある画線が第２の方向（Ｙ）にピッチ０．４ｍｍで複数配置された第６の画線群（７ｂ−４）と、画線幅０．３０ｍｍの盛り上がりのある画線が第１の方向（Ｘ）にピッチ０．４ｍｍで複数配置された第７の画線群（７ｃ−４）と、画線幅０．３０ｍｍの盛り上がりのある画線が第２の方向（Ｙ）にピッチ０．４ｍｍで複数配置された第８の画線群（７ｄ−４）から形成される。画線幅の太い第７の画線群（７ｃ−４）と第８の画線群（７ｄ−４）は、第３の画像（１３−４）の情報部（１３ａ−４）の一部を形成し、画線幅の細い第５の画線群（７ａ−４）と第６の画線群（７ｂ−４）は、第３の画像（１３−４）の背景部（１３ｂ−４）の一部を形成している。
【０１１７】
これらの八つの画線群で第１の画像（４−４）と第２の画像（５−４）を構成することによって、情報担持体（１−４）の印刷領域（３−４）中に三つの潜像画像が形成される。
【０１１８】
第１の画像（４−４）における情報部と背景部は、画線の方向の違いによって形成されるため、第２の画線群（６ｂ−４）、第４の画線群（６ｄ−４）、第６の画線群（７ｂ−４）及び第８の画線群（７ｄ−４）により、第１の画像（４−４）の情報部（４ａ−４）である「Ａ」の文字となり、第１の画線群（６ａ−４）、第３の画線群（６ｃ−４）、第５の画線群（７ａ−４）及び第７の画線群（７ｃ−４）により、第１の画像（４−４）の背景部（４ｂ−４）である「Ａ」の文字の周囲となる。
【０１１９】
また、第２の画像（５−４）における情報部と背景部は、インキの色の違いによって形成されるため、第５の画線群（７ａ−４）、第６の画線群（７ｂ−４）、第７の画線群（７ｃ−４）及び第８の画線群（７ｄ−４）により、第２の画像（４−４）の情報部（５ａ−４）である「Ｂ」の文字となり、第１の画線群（６ａ−４）、第２の画線群（６ｂ−４）、第３の画線群（６ｃ−４）及び第４の画線群（６ｄ−４）により、第２の画像（４−４）の背景部（５ｂ−４）である「Ｂ」の文字の周囲となる。
【０１２０】
また、第３の画像（１３−４）における情報部と背景部は、面積率の違いによって形成されるため、第３の画線群（６ｃ−４）、第４の画線群（６ｄ−４）、第７の画線群（７ｃ−４）及び第８の画線群（７ｄ−４）により、第３の画像（１３−４）の情報部（１３ａ−４）である「Ｃ」の文字に、第１の画線群（６ａ−４）、第２の画線群（６ｂ−４）、第５の画線群（７ａ−４）及び第６の画線群（７ｂ−４）により、第３の画像（１３−４）の背景部（１３ｂ−４）である「Ｃ」の文字の周囲となる。
【０１２１】
これにより、第８の画線群（７ｄ−４）は、第１の画像（４−４）、第２の画像（５−４）及び第３の画像（１３−４）の共通の情報部となり、第１の画線群（６ａ−４）は、第１の画像（４−４）、第２の画像（５−４）及び第３の画像（１３−４）の共通の情報部となる。
【０１２２】
画線群（６−４）は、第１のインキによって、画線群（７−４）は、第２のインキによって、ＵＶスクリーン印刷方式で、基材の上に形成した。画線の盛り上がり高さは、約１０μｍである。
【０１２３】
また、図４２における第１の画線群（６ａ−４）と第３の画線群（６ｃ−４）は、あたかも第１の画線群（６ａ−４）における画線の画線幅を一部太くすることで第３の画線群（６ｃ−４）を形成しているように見え、位相が同じになっているが、それに限定される必要はない。例えば、第３の画線群（６ｃ−４）の位相が、第１の画線群（６ａ−４）の位相とずれていてもよい。ただし、位相がずれ過ぎると、第１の画線群（６ａ−４）と第３の画線群（６ｃ−４）の境目となる部分で、視認される画像に不快な発光色が出現してしまう。そのため、効果面を考慮すると、図面に示すように第１の画線群（６ａ−４）と第３の画線群（６ｃ−４）の位相は、同じにした方が良い。これについては、図４３における第５の画線群（７ａ−４）と第６の画線群（７ｃ−４）の位相についても同様のことが言える。
【０１２４】
また、第１の画線群（６ａ−４）の画線と第３の画線群（６ｃ−４）の画線は、接している形態となっているが、必ずしも接している必要はなく、本発明の効果を損なわない程度であれば、画線と画線の間に隙間があっても良い。しかし、隙間がありすぎると、面積率に大きな差異が生じてしまうこととなり、視認される画像に歪み等が出現するため、効果を損なわない程度の隙間である必要がある。ただし、効果面を考慮すると、画線同士は接している方がより好ましい。これについては、図４３における第５の画線群（７ａ−４）と第６の画線群（７ｃ−４）の位相についても同様のことが言える。
【０１２５】
以上の構成で形成した情報担持体（１−４）の目視上の効果について、図４５（ａ）、図４５（ｂ）、図４５（ｃ）、図４５（ｄ）を用いて説明する。図４５（ａ）は「観察角度領域Ａ」で情報担持体（１−４）を観察した場合に目視上視認される画像であり、灰色の濃淡を有した第３の画像（１３−４）が認識される。図４５（ｂ）及び図４５（ｃ）は「観察角度領域Ｂ」で情報担持体（１−４）をフリップさせて観察した場合に、ポジからネガ又はネガからポジに明度のみが変化し、「Ａ」の文字がわずかに金色と赤色の干渉色を伴った光の濃淡によって、反転しながら視認される画像である。図４５（ｄ）は、「観察角度領域Ｃ」で情報担持体（１−４）を観察した場合に目視上、視認される画像であり、第２の画像（５−４）が色相の違いを有して鮮やかに出現する。情報部（５ａ−４）は、第２のインキの干渉色である赤色であり、背景部（５ｂ−４）は第１のインキの干渉色である金色で表現される。以上のように、観察角度領域を変化させる毎に、第３の画像（１３−４）から、第１の画像（４−４）と第２の画像（５−４）がチェンジする効果を有することが確認できた。
【０１２６】
実施例４に記載の形態のように、盛り上がりのある画線で第１の画像（４−４）、第２の画像（５−４）、第３の画像（１３−４）のすべての画像を形成する場合、それぞれの観察角度領域ですべての画像を鮮明に出現させるためには、第３の画像（１３−４）の情報部（１３ａ−４）と背景部（１３ｂ−４）の面積率の差異に一定の制限を設けなければならない。これは、実施例２及び実施例３に記載の形態と同様に、情報部（１３ａ−４）と背景部（１３ｂ−４）の面積率の差異が小さすぎる場合、情報部（１３ａ−４）と背景部（１３ｂ−４）の差異が不鮮明になることから、「観察角度領域Ａ」において出現する第３の画像（１３−４）が視認しづらくなり、情報部（１３ａ−４）と背景部（１３ｂ−４）の面積率の差異が大きすぎる場合、情報部（１３ａ−４）と背景部（１３ｂ−４）の差異は鮮明になり画像を視認しやすくなるものの、「観察角度領域Ｂ」や「観察角度領域Ｃ」における観察においても第３の画像（１３−４）が消失せず、第１の画像（４−４）や第２の画像（５−４）と混ざり合って出現してしまうためである。
【０１２７】
実施例４に記載の盛り上がりのある画線で第１の画像（４−４）、第２の画像（５−４）、第３の画像（１３−４）のすべての画像を形成する形態においては、第３の画像（１３−４）の情報部（１３ａ−４）と背景部（１３ｂ−４）の面積率の差異は、５％以上２５％以下で形成する。実施例２及び実施例３に比べて第３の画像（１３−４）の階調表現域が狭く制限されてしまうのは、第３の画像（１３−４）自体が、盛り上がりがある画線で構成されることから、正反射光の入射によってわずかに可視化される傾向があり、実施例２や実施例３の形態と比較して「観察角度領域Ｂ」や「観察角度領域Ｃ」で消失しづらい構成であるためである。このように、「観察角度領域Ｂ」や「観察角度領域Ｃ」において、第３の画像が、第１の画像や第２の画像と混ざり合って出現してしまう問題を避けるために、情報部（１３ａ−４）と背景部（１３ｂ−４）の面積率の差異は、５％以上２５％以下に留める。
【０１２８】
また、実施例４に記載の盛り上がりのある画線で第１の画像（４−４）、第２の画像（５−４）、第３の画像（１３−４）のすべての画像を形成する形態においては、第１のインキと第２のインキは「観察角度領域Ａ」では等色であること望ましい。等色でない場合には、「観察角度領域Ａ」での観察において、第３の画像（１３−４）と第２の画像（５−４）が混ざりあった状態で出現してしまう問題が生じるためである。
【符号の説明】
【０１２９】
１、１−１、１−２、１−３、１−４  本発明の情報担持体
２、２−１、２−２、２−３、２−４  基材
３、３−１、３−２、３−３、３−４  印刷領域
４、４−１、４−２、４−３、４−４  第１の画像
４ａ、４ａ−１、４ａ−２、４ａ−３、４ａ−４  第１の画像の情報部
４ｂ、４ｂ−１、４ｂ−２、４ｂ−３、４ｂ−４  第１の画像の背景部
５、５−１、５−２、５−３、５−４  第２の画像
５ａ、５ａ−１、５ａ−２、５ａ−３、５ａ−４  第２の画像の情報部
５ｂ、５ｂ−１、５ｂ−２、５ｂ−３、５ｂ−４  第２の画像の背景部
６、６−１、６−２、６−３、６−４  第１のインキで形成された画線群
７、７−１、７−２、７−３、７−４  第２のインキで形成された画線群
６ａ、６ａ−１、６ａ−２、６ａ−３、６ａ−４  第１の画線群
６ｂ、６ｂ−１、６ｂ−２、６ｂ−３、６ｂ−４  第２の画線群
７ａ、７ａ−１、７ａ−２、７ａ−３、６ｃ−４  第３の画線群
７ｂ、７ｂ−１、７ｂ−２、７ｂ−３、６ｄ−４  第４の画線群
７ａ−４  第５の画線群
７ｂ−４  第６の画線群
７ｃ−４  第７の画線群
７ｂ−４  第８の画線群
８  光源
９  観察者の視点
１０  第２の画線群を基準とした場合の第１の画線群のΔＥ
１１  第２の画線群を基準とした場合の第３の画線群のΔＥ
１２  第２の画線群を基準とした場合の第４の画線群のΔＥ
１３−２、１３−３、１３−４  第３の画像  
１３ａ−２、１３ａ−３、１３ａ−４  第３の画像の情報部  
１３ｂ−２、１３ｂ−３、１３ｂ−４  第３の画像の背景部  
【図１】
2011020283.tif 000007
【図２】
2011020283.tif 000008
【図３】
2011020283.tif 000009
【図４】
2011020283.tif 000010
【図５】
2011020283.tif 000011
【図６】
2011020283.tif 000012
【図７】
2011020283.tif 000013
【図８】
2011020283.tif 000014
【図９】
2011020283.tif 000015
【図１０】
2011020283.tif 000016
【図１１】
2011020283.tif 000017
【図１２】
2011020283.tif 000018
【図１３】
2011020283.tif 000019
【図１４】
2011020283.tif 000020
【図１５】
2011020283.tif 000021
【図１６】
2011020283.tif 000022
【図１７】
2011020283.tif 000023
【図１８】
2011020283.tif 000024
【図１９】
2011020283.tif 000025
【図２０】
2011020283.tif 000026
【図２１】
2011020283.tif 000027
【図２２】
2011020283.tif 000028
【図２３】
2011020283.tif 000029
【図２４】
2011020283.tif 000030
【図２５】
2011020283.tif 000031
【図２６】
2011020283.tif 000032
【図２７】
2011020283.tif 000033
【図２８】
2011020283.tif 000034
【図２９】
2011020283.tif 000035
【図３０】
2011020283.tif 000036
【図３１】
2011020283.tif 000037
【図３２】
2011020283.tif 000038
【図３３】
2011020283.tif 000039
【図３４】
2011020283.tif 000040
【図３５】
2011020283.tif 000041
【図３６】
2011020283.tif 000042
【図３７】
2011020283.tif 000043
【図３８】
2011020283.tif 000044
【図３９】
2011020283.tif 000045
【図４０】
2011020283.tif 000046
【図４１】
2011020283.tif 000047
【図４２】
2011020283.tif 000048
【図４３】
2011020283.tif 000049
【図４４】
2011020283.tif 000050
【図４５】
2011020283.tif 000051